(57)【特許請求の範囲】
【請求項１】
遊技機に取り付けられるケース本体部材と、前記ケース本体部材に装着されるケース蓋部材とを備え、前記ケース本体部材に前記ケース蓋部材を装着して形成されるケース内部に制御基板を収容する基板ケースにおいて、
前記ケース本体部材に一体に連結して設けられた有底円筒状の本体側係合部と、
前記ケース蓋部材に一体に連結して設けられた有底円筒状の蓋側係合部と、
前記ケース本体部材に前記ケース蓋部材を装着したときに前記本体側係合部および前記蓋側係合部の開口部同士が対向して重なって内部に円筒状の係合用空間が形成されるように構成されて、前記円筒状の係合用空間内に嵌合して配設される外形が円筒状の接続部材とを有し、
前記本体側係合部と前記蓋側係合部が対向して重なって前記係合用空間内に前記接続部材が嵌合して配設された状態で、前記接続部材が、前記係合用空間内において前記本体側係合部と係合されるとともに前記蓋側係合部とも係合されて、前記ケース本体部材に前記ケース蓋部材を装着した状態を保持するように構成され、
前記本体側係合部および前記蓋側係合部の少なくともいずれかにおける前記ケース本体部材もしくは前記ケース蓋部材との連結部が切断可能に構成されており、前記連結部を切断して前記ケース本体部材から前記ケース蓋部材を外すことができ、
前記連結部が切断された状態において、前記本体側係合部に対して前記蓋側係合部を、前記接続部材を中心として回転させて前記接続部材と前記本体側係合部もしくは前記蓋側係合部との係合位置を変化させたときに、前記接続部材と前記本体側係合部もしくは前記蓋側係合部との係合が解除される係合構造を有して構成されていることを特徴とする基板ケースの不正開放防止機構。
【請求項２】
前記本体側係合部の有底円筒状空間内に底面から起立して本体側係合アームが形成され、前記蓋側係合部の有底円筒状空間内に底面から起立して蓋側係合アームが形成され、
前記接続部材が、前記係合用空間に嵌合配設される円筒部および前記円筒部の内部空間内中間部に位置して設けられた係止リブから構成され、前記係止リブにアーム挿入開口が貫通形成されており、
前記本体側係合部と前記蓋側係合部が対向して重なって前記係合用空間内に前記接続部材が配設された状態で、
前記円筒部が前記円筒状の係合用空間内に嵌合して位置し、且つ、
前記本体側係合アームが前記アーム挿入開口を通って前記蓋側係合部の円筒状空間内に突出するとともに前記本体側係合アームの先端に設けられた本体側係合部が前記係止リブに係止され、前記蓋側係合アームが前記アーム挿入開口を通って前記本体側係合部の円筒状空間内に突出するとともに前記蓋側係合アームの先端に設けられた蓋側係合部が前記係止リブに係止されて、前記ケース本体部材に前記ケース蓋部材を装着した状態を保持するように構成されていることを特徴とする請求項１に記載の基板ケースの不正開放防止機構。
【請求項３】
前記アーム挿入開口に、前記本体側係合アームもしくは前記蓋側係合アームがそのまま通過可能な切り欠きが設けられており、前記連結部が切断された状態において、前記本体側係合部に対して前記蓋側係合部を回転させて前記本体側係合アームもしくは前記蓋側係合アームを前記切り欠きに対向する位置に移動させたときに、前記接続部材と前記本体側係合部もしくは前記蓋側係合部との係合を前記切り欠きを介して解除できるように前記係合構造が構成されていることを特徴とする請求項２に記載の基板ケースの不正開放防止機構。
【請求項４】
前記本体側係合アームおよび前記蓋側係合アームが起立方向と直角な方向にそれぞれ弾性変形可能であり、前記本体側係合部および蓋側係合部のそれぞれの先端に前記起立方向と直角な方向に突出する突起が形成されており、
前記本体側係合アームが前記アーム挿入開口を通って前記蓋側係合部の円筒状空間内に突出するときに、前記本体側係合部が前記アーム挿入開口の縁部に当接して押圧されて前記本体側係合アームの弾性変形により前記アーム挿入開口に押し込まれるとともに前記アーム挿入開口を通過したときに前記本体側係合アームの弾性変形の解放により前記本体側係合部が前記アーム挿入開口の縁部より外側に位置して前記係止リブに係止され、
前記蓋側係合アームが前記アーム挿入開口を通って前記本体側係合部の円筒状空間内に突出するときに、前記蓋側係合部が前記アーム挿入開口の縁部に当接して押圧されて前記蓋側係合アームの弾性変形により前記アーム挿入開口に押し込まれるとともに前記アーム挿入開口を通過したときに前記蓋側係合アームの弾性変形の解放により前記蓋側係合部が前記アーム挿入開口の縁部より外側に位置して前記係止リブに係止されるように構成されていることを特徴とする請求項２もしくは３に記載の基板ケースの不正開放防止機構。
【請求項５】
前記本体側係合アームが前記アーム挿入開口を通って前記蓋側係合部の円筒状空間内に突出するとともに前記蓋側係合アームが前記アーム挿入開口を通って前記本体側係合部の円筒状空間内に突出するように、前記接続部材の前記係合用空間内での配設位置決めを行うために、前記本体側係合部および前記蓋側係合部のいずれかに位置決め突起が設けられ、前記円筒部の端部に前記位置決め突起と嵌合する位置決めスリットが設けられていることを特徴とする請求項１〜４のいずれかに記載の基板ケースの不正開放防止機構。
【請求項６】
前記本体側係合部の開口先端部および前記蓋側係合部の開口先端部に互いに嵌合するリング状の接続部嵌合リブが形成されており、前記本体側係合部および前記蓋側係合部の開口部同士が対向して重なるときに前記接続部嵌合リブ同士が嵌合するとともにこの嵌合部の内周面が前記接続部材の円筒状外周面により内面側から覆われることを特徴とする請求項１〜５のいずれかに記載の基板ケースの不正開放防止機構。
【請求項７】
前記係止リブに管理番号を設け、前記本体側係合部および前記蓋側係合部を透視可能に構成して外部から前記管理番号を透視可能であることを特徴とする請求項１〜６のいずれかに記載の基板ケースの不正開放防止機構。
【発明の詳細な説明】
【０００１】
【発明の属する技術分野】
本発明は、パチンコ機やスロットマシン等の遊技機において遊技機の作動を制御する制御基板等を収容する基板ケースに関し、詳細には基板を収容した状態の基板ケースを不正に開放できなくして基板に対する不正行為を防止する基板ケースの不正開放防止機構に関する。
【０００２】
【従来の技術】
パチンコ機やスロットマシン等の遊技機では遊技機の作動を制御する制御基板が設けられている。例えばパチンコ遊技機では外枠に対して開閉可能に組み付けられた前枠裏側の収容枠に遊技盤及び裏機構盤が開閉可能に装備され、この裏機構盤に制御基板が取り付けられている。また、スロットマシンにおいても同様に、開閉カバーの裏面に制御基板が取り付けられている。これら制御基板は賞球もしくはメダルの払出制御、電動役物の開閉制御、リールの回転制御、図柄組み合わせの発生確率制御など、パチンコ遊技機もしくはスロットマシンの作動を制御する基板であり、遊技機の制御ソフトウェアが記録されたＲＯＭが搭載されて遊技機の作動を制御する中枢制御装置としての役割を有している。このため、制御基板は偽造ＲＯＭへの差し替え等の不正改造を受け難いように基板ケース内に収容されるとともに、この基板ケースはケースを開いたときにその痕跡が残るような不正開放（もしくは不正改造）防止手段が設けられて構成されている。
【０００３】
このような不正開放防止手段として、例えば、切断可能な複数のネジ締結対を特殊ネジで締結する手段がある。これは、ケース本体部材とこのケース本体部材に開閉自在に装着されるケース蓋部材とからなる基板ケースにおいて、ケース本体部材及びケース蓋部材のそれぞれの側縁部に相対応するネジ螺合部及びネジ貫通部からなるネジ締結対を複数対形成し、このうち少なくとも１対のネジ螺合部とネジ貫通部とを締め込み方向にのみ操作可能な特殊ネジ（ネジ頭部のスリ割りがネジ締め方向のみに係合部を有して形成され、緩める方向の係合部が螺旋状に除去されているネジ、以下本明細書で「一方向ネジ」という）で締結する構成からなっている。なお、この構成において、ケース蓋部材とネジ貫通部との間には切断可能な切断部が形成されている。
【０００４】
上記の不正開放防止手段では、管理者が制御基板の保守点検等のために基板ケースを開くときには、一方向ネジで締結された締結対の切断部をニッパ等の工具で切断し、ネジ貫通部をケース蓋部材から切り離すことでケース蓋部材とケース本体部材との接続を解除してケース蓋部材を開放する。このようにケース蓋部材を開放して保守点検が行われるが、この保守点検完了後には未だ締結していない他の締結対を一方向ネジを用いて締結しケース本体部材にケース蓋部材を装着・閉鎖する。さらに、基板ケースには基板管理番号と開封履歴を表示する基板管理シールが貼られており、開封した管理者がこの基板管理シールに開封年月日と開封者氏名を記載して管理するようになっている。
【０００５】
【発明が解決しようとする課題】
上記のような不正開放防止手段によれば、一方向ネジは一般にネジを緩める方向に回転させることができず、基板ケースを開く時には切断部を切り離す必要があることから、基板ケース開放後にその切断痕跡が明確に残り、不正な開封が不可能のように思われる。ところが、このような不正改造防止手段をもってしても、これを迂回する巧妙な不正改造行為が散発的に発見されており、かかる手段のみでは未だ完全を期しがたいことが指摘されるようになっている。
【０００６】
例えば、不正者が特殊な手段を用いて一方向ネジに損傷を与えることなく取り外し、不正改造後に取り外した一方向ネジを元の位置に締結し直すことで、一見しただけでは不正行為を見抜き難いような改造工作を行った例が発見されており、このようなケースが徐々に拡散するようになってきたのである。このことは不正な改造行為を未然に防止するという基板ケースの本質的機能を損なう重大な問題であり、早期改善が望まれていた。
【０００７】
本発明は、上記問題に鑑みて成さたものであり、不正開放を行ったときにはこれを容易に発見できるようにして不正開放を効果的に防止できるような構成の不正開放防止機構を提供し、公正な遊技に供することができる遊技機の基板ケースを提供することを目的とする。
【０００８】
【課題を解決するための手段】
上記目的達成のため、本発明では、遊技機に取り付けられるケース本体部材と、ケース本体部材に装着されるケース蓋部材とを備え、ケース本体部材にケース蓋部材を装着して形成されるケース内部に制御基板を収容する基板ケースにおいて、その不正開放防止機構が、ケース本体部材に一体に連結して設けられた有底円筒状の本体側係合部と、ケース蓋部材に一体に連結して設けられた有底円筒状の蓋側係合部と、ケース本体部材にケース蓋部材を装着したときに本体側係合部および蓋側係合部の開口部同士が対向して重なって内部に円筒状の係合用空間が形成されるように構成されて、円筒状の係合用空間内に嵌合して配設される外形が円筒状の接続部材とを有して構成される。さらに、本体側係合部と蓋側係合部が対向して重なって係合用空間内に接続部材が嵌合して配設された状態で、接続部材が、係合用空間内において本体側係合部と係合されるとともに蓋側係合部とも係合されて、ケース本体部材にケース蓋部材を装着した状態を保持するように構成されている。そして、本体側係合部および蓋側係合部の少なくともいずれかにおけるケース本体部材もしくはケース蓋部材との連結部が切断可能に構成されており、この連結部を切断してケース本体部材からケース蓋部材を外すことができるように構成されている。さらに、このように連結部が切断された状態において、本体側係合部に対して蓋側係合部を、接続部材を中心として回転させて接続部材と本体側係合部もしくは蓋側係合部との係合位置を変化させたときに、接続部材と本体側係合部もしくは蓋側係合部との係合が解除される係合構造を有して構成されている。
このように構成される不正開放防止機構において、本体側係合部の有底円筒状空間内に底面から起立して本体側係合アームが形成され、蓋側係合部の有底円筒状空間内に底面から起立して蓋側係合アームが形成され、接続部材が、係合用空間に嵌合配設される円筒部およびこの円筒部の内部空間内中間部に位置して設けられた係止リブから構成され、係止リブにアーム挿入開口が貫通形成されており、本体側係合部と蓋側係合部が対向して重なって係合用空間内に接続部材が配設された状態で、円筒部が円筒状の係合用空間内に嵌合して位置し、且つ、本体側係合アームがアーム挿入開口を通って蓋側係合部の円筒状空間内に突出するとともに本体側係合アームの先端に設けられた本体側係合部が係止リブに係止され、蓋側係合アームがアーム挿入開口を通って本体側係合部の円筒状空間内に突出するとともに蓋側係合アームの先端に設けられた蓋側係合部が前記係止リブに係止されて、ケース本体部材にケース蓋部材を装着した状態を保持するように構成されているのが好ましい。
上記不正開放防止機構において、記アーム挿入開口に、本体側係合アームもしくは蓋側係合アームがそのまま通過可能な切り欠きが設けられており、連結部が切断された状態において、本体側係合部に対して蓋側係合部を回転させて本体側係合アームもしくは蓋側係合アームを切り欠きに対向する位置に移動させたときに、接続部材と本体側係合部もしくは蓋側係合部との係合をこの切り欠きを介して解除できるように係合構造が構成されているのが好ましい。
上記不正開放防止機構において、本体側係合アームおよび蓋側係合アームが起立方向と直角な方向にそれぞれ弾性変形可能であり、本体側係合部および蓋側係合部のそれぞれの先端に起立方向と直角な方向に突出する突起が形成されており、本体側係合アームがアーム挿入開口を通って蓋側係合部の円筒状空間内に突出するときに、本体側係合部がアーム挿入開口の縁部に当接して押圧されて本体側係合アームの弾性変形によりアーム挿入開口に押し込まれるとともにアーム挿入開口を通過したときに本体側係合アームの弾性変形の解放により本体側係合部がアーム挿入開口の縁部より外側に位置して係止リブに係止され、蓋側係合アームがアーム挿入開口を通って本体側係合部の円筒状空間内に突出するときに、蓋側係合部がアーム挿入開口の縁部に当接して押圧されて蓋側係合アームの弾性変形によりアーム挿入開口に押し込まれるとともにアーム挿入開口を通過したときに蓋側係合アームの弾性変形の解放により蓋側係合部が前記アーム挿入開口の縁部より外側に位置して係止リブに係止されるように構成されているのが好ましい。
上記不正開放防止機構において、本体側係合アームがアーム挿入開口を通って蓋側係合部の円筒状空間内に突出するとともに蓋側係合アームがアーム挿入開口を通って本体側係合部の円筒状空間内に突出するように、接続部材の係合用空間内での配設位置決めを行うために、本体側係合部および蓋側係合部のいずれかに位置決め突起が設けられ、円筒部の端部に位置決め突起と嵌合する位置決めスリットが設けられていても良い。
上記不正開放防止機構において、本体側係合部の開口先端部および蓋側係合部の開口先端部に互いに嵌合するリング状の接続部嵌合リブが形成されており、本体側係合部および蓋側係合部の開口部同士が対向して重なるときに接続部嵌合リブ同士が嵌合するとともにこの嵌合部の内周面が接続部材の円筒状外周面により内面側から覆われるように構成するのが好ましい。
さらに、上記不正開放防止機構において、係止リブに管理番号を設け、本体側係合部および蓋側係合部を透視可能に構成して外部から管理番号を透視可能であるのが好ましい。
【０００９】
このように構成された不正開放防止機構によれば、制御基板を内部に配設したケース本体部材にケース蓋部材を閉止するように装着すると、本体側係合部と蓋側係合部とが対向して重なるが、このときこのようにして対向して重なる両係合部の間の係合用空間内に接続部材を配設しておけば、両係合部が対向して重なったときに、係合空間内において本体側係合部が接続部材と係合するとともに蓋側係合部も接続部材と係合する。この結果、接続部材を介して本体側係合部が蓋側係合部と係合され、ケース本体部材にケース蓋部材を閉止して装着された状態のまま係合保持される。このように、係合空間内において接続部材を介して本体側係合部と蓋側係合部とが係合保持されるため、この係合を外部から解除することが不可能であり、ケース蓋部材をケース本体部材から開放もしくは取り外すことができなくなる。
【００１０】
ここで、本体側係合部および蓋側係合部の少なくともいずれかにおけるケース本体部材もしくはケース蓋部材との連結部が切断可能に構成されており、この連結部を切断すればケース本体部材からケース蓋部材を外すことができるが、このように連結部を切断したときにはその破壊痕跡が残るためこれを容易に発見でき、不正行為を効果的に抑止できる。但し、保守点検の際にはこのように連結部を切断してケース蓋部材を開放して保守点検が行われる。この場合、ケース本体部材およびケース蓋部材には複数組の本体側係合部および蓋側係合部が設けられており、保守点検の完了後に、まだ連結部が切断されていない係合部組に接続部材を取り付けてこれを係合保持し、ケース本体部とケース蓋部材とを再度閉止状態で係合保持する。
【００１１】
このとき、本発明によれば、連結部が切断された状態において、接続部材を介して係合された本体側係合部に対して蓋側係合部を回転移動させたときに、接続部材と本体側係合部もしくは蓋側係合部との係合が解除される係合構造を有して構成されている。このため、このように係合を解除した本体側係合部および蓋側係合部の内部から接続部材を工具などを使用することなく容易に取り外すことができ、このように取り外した接続部材を連結部が切断されていない係合部組に取り付け、ケース本体部とケース蓋部材とを再度閉止状態で係合保持するために使用できる。
【００１２】
【発明の実施の形態】
以下、図面を参照して本発明の好ましい実施形態について、基板ケースをスロットマシンに適用した場合を例にして説明する。
【００１３】
スロットマシンの代表例を図２に示しており、このスロットマシンＳＭは、前面が開放した本体ケース１およびその前面開放部を開閉自在に覆って取り付けられるカバー２とから構成される略直方体状のキャビネットケース内に遊技構成機構を配設して構成される。カバー２の前面には、図柄表示を行うための表示窓３、スタートレバー４、停止ボタン５、メダル投入口６、メダル払出口７から払い出されるメダルを受容する受け皿８等が図示にように設けられている。このスロットマシンＳＭにおける本体ケース１の内部を図３に示しており、ここには、メイン基板アセンブリＭＢＡ、第１〜第３リール１１ａ〜１１ｃを有して構成される回転リール装置１１、遊技メダル払出装置１２、電源基板１３、遊技メダル補助収納庫１４等が図示のように配設されている。なお、この本体ケース１にカバー２がヒンジ結合されており、本体ケース１からカバー２に延びる電気配線が設けられているが、図３ではこの配線を省略している。
【００１４】
上記の構成におけるメイン基板アセンブリＭＢＡに本発明に係る不正開放防止機構を適用しており、メイン基板アセンブリＭＢＡについて以下に説明する。メイン基板アセンブリＭＢＡを図４から図６に示しており、メイン基板アセンブリＭＢＡは、本体ケース１側に固定されるメイン基板ケース２０と、メイン基板ケース２０の内部に配設固定されるＲＯＭ４１等が設けられたメイン制御基板４０と、このように取りつけられたメイン制御基板４０を覆ってメイン基板ケース２０の上に開閉自在に取り付けられるメイン基板カバー３０とを有して構成される。なお、このメイン基板アセンブリＭＢＡの場合には、メイン基板ケース２０が特許請求の範囲に規定するケース本体部材に該当し、メイン基板カバー３０がケース蓋部材に該当する。
【００１５】
メイン基板ケース２０は、図７〜図１０に示すように、前面が開放した矩形箱状に形成されたケース筐体２１を有し、このケース筐体２１の内部空間２１ａ内にメイン制御基板４０が図５に示すように固定されて配設される。メイン基板カバー３０は、図１１〜図１３に示すように、後面が開口した矩形箱状に形成されたカバー筐体３１を有し、メイン制御基板４０が配設固定されたケース筐体２１の前面上に重なるように取り付けられる。これにより、メイン制御基板４０はメイン基板ケース２０とメイン基板カバー３０との間に形成されるケース空間内に配設される。
【００１６】
メイン基板ケース２０におけるケース筐体２１の上側壁外面にヒンジ軸２２が形成され、下側壁外面に前方に突出する係止アーム２３が形成されている。また、メイン基板カバー３０におけるカバー筐体３１の上側壁外面に上記ヒンジ軸２２と揺動自在に係合するヒンジアーム３２が形成され、下側壁外面に係止突起３３が形成されている。このため、ヒンジ軸２２とヒンジアーム３２とをヒンジ係合させることにより、メイン基板ケース２０に対してメイン基板カバー３０をこのヒンジ係合部を中心として開閉揺動させることができる。このようにして、メイン基板カバー３０をメイン基板ケース２０の上に重ねて閉止状態とすると、係止アーム２３が係止突起３３と係合して閉止状態のまま保持される。なお、ケース筐体２１の前面端の全周にわたって前方に突出するケース側嵌合リブ２５が形成され、カバー筐体３１の後面端の全周にわたって後方に突出するカバー側嵌合リブ３５が形成されており、両嵌合リブ２５，３５が図１に示すように嵌合して位置決めされてメイン基板カバー３０がメイン基板ケース２０に閉止状態で取りつけられる。
【００１７】
このようにして、メイン制御基板４０が取りつけられたメイン基板ケース２０を覆ってメイン基板カバー３０が取りつけられた状態では、係止アーム２３が係止突起３３と係合しているだけであり、メイン基板カバー３０を簡単に開放できる。そこで、このように閉止状態で取り付けたメイン基板カバー３０を開放できなくして不正操作を防止するために、本発明に係る不正開放防止機構が設けられておりこれについて以下に詳しく説明する。
【００１８】
メイン基板ケース２０においては、ケース筐体２１の右側壁外面および下側壁外面にそれぞれケース連結部５９を介して繋がった二つずつ（合計四つ）のケース係合部５０（特許請求の範囲の本体側係合部に該当）が設けられ、一方、メイン基板カバー３０においては、カバー筐体３１の右側壁外面および下側壁外面にそれぞれカバー連結部６９を介して繋がった二つずつ（合計四つ）のカバー係合部６０（特許請求の範囲の蓋側係合部に該当）が設けられている。上述のようにしてメイン基板カバー３０がメイン基板ケース２０に閉止状態で取りつけられたときには、図４〜図６に示すように、ケース係合部５０とカバー係合部６０とが対向して重なるように構成されている。なお、これら四組のケース係合部５０およびカバー係合部６０と、後述する接続部材７０，８０，９０とにより不正開放防止機構が構成される。なお、接続部材８０，９０を用いた不正解放防止機構が本発明に係る機構である。
【００１９】
ケース係合部５０は、有底円筒状のケース側円筒部５１と、ケース側円筒部５１の底面５２から起立した一対のケース側係合アーム５３とを有して構成され、ケース側円筒部５１の外面がケース連結部５９を介してケース筐体２１の外側面に繋がれている。一対のケース側係合アーム５３は互いに対向するとともに、その先端に対向方向に延びる係止突起５３ａが設けられている。カバー係合部６０は、有底円筒状のカバー側円筒部６１と、カバー側円筒部６１の底面６２から起立した一対のカバー側係合アーム６３と、カバー側円筒部６１の内壁から内方に突出する一対の位置決め突起６４とを有して構成され、カバー側円筒部６１の外面がカバー連結部６９を介してカバー筐体３１の外側面に繋がれている。なお、一対のカバー側係合アーム６３は上記ケース側係合アーム５３と略直交するようにして互いに対向するとともに、その先端に対向方向に延びる係止突起６３ａが設けられている。
【００２０】
さらに、ケース側円筒部５１の先端外周に接続部嵌合リブ５１ａが形成され、カバー側円筒部６１の先端外周に接続部嵌合リブ６１ａが形成されており、上述のようにしてメイン基板カバー３０がメイン基板ケース２０に閉止状態で取りつけられてケース係合部５０とカバー係合部６０とが対向して重なるときに、図１に示すように両嵌合リブ５１ａ，６１ａが嵌合する。このように両嵌合リブ５１ａ，６１ａを嵌合させる構成とすることにより、外部から内部に対する不正アクセスを効果的に防止できる。このように両係合部５０，６０が重なった状態で、両円筒部５１，６１の内部空間が合わさって形成される係合用空間内に接続部材７０が配設されていると、この接続部材７０により両係合部５０，６０を係合させるようになっている。これについて以下に説明する。
【００２１】
接続部材７０は、図１４および図１５に示すように、円筒部７１の内部空間中央にこの内部空間を塞ぐようにして形成された係止リブ７２を有して構成され、係止リブ７２には左右対称に位置する一対の扇形のアーム挿入開口７３が形成されている。また、円筒部７１の片側に左右対称に位置する位置決めスリット７４が形成されている。この接続部材７０は、例えば、カバー係合部６０の円筒部６１内に挿入されて取りつけられる。このとき、位置決めスリット７４が設けられた側を円筒部６１内に挿入し、位置決め突起６４を位置決めスリット７４内に嵌入させる。このように接続部材７０が円筒部６１内に押し込まれると、カバー側係合アーム６３が係止リブ７２に形成されたアーム挿入開口７３内に入り込む。このとき、先端の係止突起６３ａはアーム挿入開口７３の内周端に当接して外周側に押され、カバー側係合アーム６３が外周側に弾性変形された状態で入り込む。そして、接続部材７０が完全に押し込まれると、係止突起６３ａは係止リブ７２を乗り越えてアーム挿入開口７３を通過して反対側に突出し、弾性力によりカバー側係合アーム６３が元の形状に戻って、図１７に示すように、係止リブ７２に係止される。この状態では、接続部材７０はカバー係合部６０から半分突出する。なお、この状態で接続部材７０を元に戻す方向に引っ張っても抜け出すことがない。
【００２２】
このようにして接続部材７０をカバー係合部６０に取り付けた後、メイン基板ケース２０の上にメイン基板カバー３０が重ねられて閉止される。これにより、上述のようにケース係合部５０にカバー係合部６０が対向して重ねられ、カバー係合部６０に取りつけられた接続部材７０の突出部分がケース係合部５０の円筒部５１内に押し込まれ、ケース側係合アーム５３がアーム挿入開口７３内に入り込む。このとき、先端の係止突起５３ａはアーム挿入開口７３の内周端に当接して外周側に押され、ケース側係合アーム５３が外周側に弾性変形された状態で入り込む。そして、メイン基板ケース２０の上にメイン基板カバー３０が完全に閉止状態で装着されると、係止突起５３ａは係止リブ７２を乗り越えてアーム挿入開口７３を通過して反対側に突出し、弾性力によりケース側係合アーム５３が元の形状に戻って、図１７に示すように、係止リブ７２に係止される。
【００２３】
以上のように、メイン基板ケース２０の上にメイン基板カバー３０が閉止状態で装着され、ケース係合部５０にカバー係合部６０が対向して重ねられたときには、図１６および図１７に示すように、ケース側係合アーム５３の先端の係止突起５３ａがアーム挿入開口７３を通過して反対側に突出して係止リブ７２に係止され、同様に、カバー側係合アーム６３の先端の係止突起６３ａが反対側からアーム挿入開口７３を通過して反対側に突出して係止リブ７２に係止される。この結果、接続部材７０を介してケース係合部５０とカバー係合部６０とが係合され、これを外部から外すことができない状態となる。このため、メイン基板カバー３０を開放することができず、メイン基板カバー３０を開放してケース内に配設されたメイン制御基板４０に対する不正アクセス、例えば、メイン制御基板４０に取りつけられたＲＯＭ４１に対する不正アクセスを確実に防止できる。
【００２４】
特に、上記の構成説明から分かるように、接続部嵌合リブ５１ａ，６１ａを嵌合させる構成を採用して、まずこの部分において外部から内部に対する不正アクセスを効果的に防止でき、さらに、嵌合部５１ａ，６１ａの内周側に接続部材７０の円筒部７１が位置することにより外部から円筒部７１の内部に対するアクセス（係止リブ７２とケース側係合アーム５３の係止突起５３ａおよびカバー側係合アーム６３の係止突起６３ａとの係止部に対するアクセス）を円筒部７１によりさらに効果的に（二重に）防止できる。
【００２５】
次に、以上のようにしてスロットマシンＳＭの本体ケース１に取りつけられたメイン基板アセンブリＭＢＡについて、その内部のメイン基板４０の保守点検作業を行う場合について説明する。保守点検作業を行うときには、図１６に二点鎖線で示すように、例えばニッパ等の工具を用いてカバー連結部６９を切断する。これにより、カバー係合部６０とカバー筐体３１とが切り離されるので、メイン基板カバー３０を開放することができ、メイン基板レース２０に取りつけたメイン制御基板４０の保守点検等を行うことができる。
【００２６】
なお、ケース係合部５０およびカバー係合部６０は、ケース筐体２１およびカバー筐体３１の右側壁外面および下側壁外面にそれぞれ二つずつ設けられているが、ケース係合部５０とカバー係合部６０とを接続部材７０を介して係合してメイン基板ケース２０の上にメイン基板カバー３０を閉止状態で保持するときには、右側壁外面のいずれか一方のみと、下側壁外面のいずれか一方のみに接続部材７０を配設して係合させる。このため、このように係合された方のカバー連結部６９のみが切断され、他方はまだ使用可能であり、上記のように保守点検が完了した後は、このように未使用の方のケース係合部５０およびカバー係合部６０に接続部材７０を配設して両者を係合させる。このため、この例のメイン基板アセンブリＭＢＡの場合には、途中において一度の保守点検が可能である。
【００２７】
次に、接続部材の異なる例について図１８〜図２１を参照して説明する。この接続部材８０は、上述の接続部材７０と類似の構成をしており、円筒部８１の内部空間中央にこの内部空間を塞ぐようにして形成された係止リブ８２を有して構成され、係止リブ８２には左右対称に位置する一対の扇形のアーム挿入開口８３が形成されている。但し、係止リブ８２の一部に切り欠き８２ａが形成されており、アーム挿入開口８３は、上記接続部材７０のアーム挿入開口７３に比べてこの切り欠き８２ａの分だけ広くなっている。また、円筒部８１の片側に左右対称に位置する位置決めスリット８４が形成されている。
【００２８】
この接続部材８０は、例えば、カバー係合部６０の円筒部６１内に挿入されて取りつけられ、上記接続部材７０の場合と同様に、位置決め突起６４が位置決めスリット８４内に嵌入し、且つカバー側係合アーム６３がアーム挿入開口８３内に入り込み、係止突起６３ａは係止リブ８２に係止される。但しこのとき、係止突起６３ａは係止リブ８２の切り欠き８２ａからずれた位置に係止される。次に、メイン基板ケース２０の上にメイン基板カバー３０が重ねられて閉止されてケース係合部５０にカバー係合部６０が対向して重ねられ、カバー係合部６０に取りつけられた接続部材８０の突出部分がケース係合部５０の円筒部５１内に押し込まれる。これにより、ケース側係合アーム５３がアーム挿入開口８３内に入り込み、係止突起５３ａは切り欠き８３ａからずれた位置において係止リブ８２と係止される。
【００２９】
この結果、メイン基板ケース２０の上にメイン基板カバー３０が閉止状態で装着されてケース係合部５０にカバー係合部６０が対向して重ねられた状態で、接続部材８０を介してケース係合部５０とカバー係合部６０とが係合され、これを外部から外すことができない状態となる。このため、メイン基板カバー３０を開放することができず、メイン基板カバー３０を開放してケース内に配設されたメイン制御基板４０に対する不正アクセス、例えば、メイン制御基板４０に取りつけられたＲＯＭ４１に対する不正アクセスを確実に防止できる。
【００３０】
このように係合保持されたメイン基板アセンブリＭＢＡについて、その内部のメイン基板４０の保守点検作業を行う場合にも、例えばニッパ等の工具を用いてカバー連結部６９を切断する。これにより、上述したようにカバー係合部６０とカバー筐体３１とが切り離されるので、メイン基板カバー３０を開放することができ、メイン基板レース２０に取りつけたメイン制御基板４０の保守点検等を行うことができる。
【００３１】
さらに、本例の場合には、上記のようにカバー連結部６９が切り離された状態でケース連結部５９を介してメイン基板ケース２０に繋がって残される係合部５０，６０、すなわち、接続部材８０を内部に有したケース係合部５０とカバー係合部６０との結合部品において、カバー係合部６０を手で掴むなどして図２１において矢印で示すようにカバー係合部６０が回転される。ここでカバー係合部６０の位置決め突起６４が接続部材８０の位置決めスリット８４と嵌合しているため、カバー係合部６０と接続部材８０とが一緒に回転され、ケース係合部５０のケース側係合アーム５３の係止突起５３ａが切り欠き８２ａ内に位置する。この結果、係止突起５３ａと係止リブ８２との係止が外れ、カバー係合部６０および接続部材８０をケース係合部５０から取り外すことができ、このように取り外した状態のカバー係合部６０においてカバー側係合アーム６３の係止突起６３を内方に押し込めば接続部材８０を工具などを使用することなく簡単に取り外すことができる。そして、保守点検後に、未使用の方のケース係合部５０およびカバー係合部６０にこのように取り外した接続部材８０を配設して両者を係合させる。すなわち、本例の場合には接続部材８０を再使用できる。
【００３２】
次に、接続部材のもう一つの異なる例について図２２〜図２５を参照して説明する。なお、この接続部材９０は、上述の接続部材７０，８０と類似の構成をしており、外周面に波状のローレット９１ａが形成された円筒部９１の内部空間中央にこの内部空間を塞ぐようにして形成された係止リブ９３を有して構成される。係止リブ９３には左右対称に位置する一対の扇形のアーム挿入開口９４が形成されており、係止リブ９３の中央に挿抜用切り欠き９３ａが形成されている。また、円筒部９１の上下両端にそれぞれ、１８０度離れて位置する円弧状の位置決め切り欠き９２が図示のように形成されている。
【００３３】
なお、この例では、ケース係合部５０の円筒部５１内に一対の位置決め突起５４が図２４に示すように１８０度離れて形成されており、カバー係合部６０の円筒部６１内に位置決め突起は形成されていない。このため、この場合には、接続部材９０は、まず、ケース係合部５０の円筒部５１内に挿入されて取りつけられ、このとき位置決め突起５４が位置決め切り欠き９２の端面９２ａと当接して取りつけられる。接続部材９０がこのように円筒部５１内に押し込まれると、上述と同様にしてケース側係合アーム５３がアーム挿入開口９４内に入り込み、係止突起５３ａは係止リブ９３に図２４に示すように係止される。なお、このようにして接続部材９０を押し込む代わりに、係止突起５３ａが挿抜用切り欠き９３ａを通るようにして接続部材９０を押し込むとケース側係合アーム５３を弾性変形させることなく係止突起５３ａをアーム挿入開口９４を通過させることができ、この後、接続部材９０を図２４に示すように、位置決め突起５４と位置決め切り欠き９２の端面９２ａとが当接する位置まで回転させれば、係止突起５３ａを係止リブ９３と簡単に係止させることができる。
【００３４】
次に、メイン基板ケース２０の上にメイン基板カバー３０が重ねられて閉止されてケース係合部５０にカバー係合部６０が対向して重ねられ、ケース係合部５０に取りつけられた接続部材９０の突出部分がカバー係合部６０の円筒部６１内に押し込まれる。これにより、カバー側係合アーム６３がアーム挿入開口９４内に入り込み、図２４に示すように、係止突起６３ａは挿抜用切り欠き９３ａからずれた位置において係止リブ９３と係止される。
【００３５】
この結果、メイン基板ケース２０の上にメイン基板カバー３０が閉止状態で装着されてケース係合部５０にカバー係合部６０が対向して重ねられた状態で、接続部材９０を介してケース係合部５０とカバー係合部６０とが係合され、これを外部から外すことができない状態となる。このため、メイン基板カバー３０を開放することができず、メイン基板カバー３０を開放してケース内に配設されたメイン制御基板４０に対する不正アクセス、例えば、メイン制御基板４０に取りつけられたＲＯＭ４１に対する不正アクセスを確実に防止できる。なお、このメイン基板アセンブリＭＢＡについてメイン基板４０の保守点検作業を行う場合にも、例えばニッパ等の工具を用いてカバー連結部６９を切断してメイン基板カバー３０を開放する。
【００３６】
さらに、本例の場合にも、上記のようにカバー連結部６９が切り離された状態でケース連結部５９を介してメイン基板ケース２０に繋がって残される係合部５０，６０において、カバー係合部６０を手で掴むなどして回転させる。この回転により、カバー係合部６０のカバー側係合アーム６３を接続部材９０に対して回転させて、先端の係止突起６３ａを挿抜用切り欠き９３ａと上下に重なる位置に移動させることができ、この状態でカバー係合部６０を取り外すことができる。この結果、ケース係合部５０の円筒部５１内に接続部材９０が取りつけられた状態で残される。この状態で接続部材９０の円筒部９１を手で掴んで、図２５の矢印で示すように位置決め突起５４と位置決め切り欠き９２の端面９２ａとが当接する位置まで回転させると、ケース側係合アーム５３の係止突起５３ａが挿抜用切り欠き９３ａ内に位置し、接続部材９０を工具などを使用することなく手のみでそのまま簡単に取り外すことができる。なお、このような接続部材９０の回転を行うときに円筒部９１を掴み易くするためにその外面にローレット９１ａが形成されている。そして本例の場合にも、保守点検後に、未使用の方のケース係合部５０およびカバー係合部６０にこのように取り外した接続部材９０を配設して両者を係合させることができる。
【００３７】
以上説明したように、接続部材８０，９０はいずれも取り外して再使用するものであり、一つのメイン基板アセンブリＭＢＡに対して一つの接続部材７０，８０，９０が用いられるだけであり、且つこの接続部材７０，８０，９０が封印部材として使用されるようになっている。このため、一つのメイン基板アセンブリＭＢＡに対して一つの封印部材（すなわち、接続部材７０，８０，９０）を管理するだけでよく、不正行為を行うものがこの封印部材を不正に入手することが困難であり、封印部材を適切に管理して不正行為を効果的に防止できる。また、この封印部材を封印する封印鑑としての役割を果たすケース係合部５０およびカバー係合部６０を透明樹脂等により作って内部を透視可能とし、例えば、図２４において符号９３ｂで示す位置に刻印、シール等により管理番号を設けて、管理するのが好ましい。この場合、ケース（メイン基板ケース２０およびメイン基板カバー３０）に基板管理番号を設け、封印部材（すなわち、接続部材７０，８０，９０）には基板管理番号と共通する番号（もしくは関連する番号）を位置９３ｂに設ければ、より一層確実な不正行為防止を図ることができる。
【００３８】
以上においては、スロットマシンの本体ケース内に取りつけられたメイン基板アセンブリを例にして説明したが、本発明の不正開放防止機構はこれに限られるものではない。例えば、スロットマシンの他の部分（カバーの裏面等）に設けられた基板ケース（いわゆる、サブ基板アセンブリ）についても同様な構成を適用でき、パチンコ機の内部に配設される基板ケースにも適用できる。また、上記実施形態においては、メイン基板アセンブリＭＢＡのメイン基板ケース２０をスロットマシンＳＭの本体ケース１に固定する部分に本発明に係る不正開放防止機構と同一の構成を用いても良い。
【００３９】
【発明の効果】
以上説明したように、本発明によれば、制御基板を内部に配設したケース本体部材にケース蓋部材を閉止するように装着して、本体側係合部と蓋側係合部とが対向して重なったときに、係合空間内において本体側係合部が接続部材と係合するとともに蓋側係合部も接続部材と係合するので、接続部材を介して本体側係合部が蓋側係合部と係合され、ケース本体部材にケース蓋部材を閉止して装着された状態のまま係合保持することができる。このように、係合空間内において接続部材を介して本体側係合部と蓋側係合部とが係合保持されるため、この係合を外部から解除することが不可能であり、ケース蓋部材をケース本体部材から開放もしくは取り外すことができなくなり、不正開放を防止することができる。
【００４０】
なお、本体側係合部および蓋側係合部の少なくともいずれかにおけるケース本体部材もしくはケース蓋部材との連結部が切断可能に構成されており、この連結部を切断すればケース本体部材からケース蓋部材を外すことができるが、このように連結部を不正に切断したときにはその破壊痕跡が残るためこれを容易に発見でき、不正行為を効果的に抑止できる。但し、保守点検の際にはこのように連結部を切断してケース蓋部材を開放して保守点検が行われる。
【００４１】
なお、保守点検の完了後に、まだ連結部が切断されていない係合部組に接続部材を取り付けてこれを係合保持し、ケース本体部とケース蓋部材とを再度閉止状態で係合保持するのであるが、このとき、本発明によれば、連結部が切断された状態において、接続部材を介して係合された本体側係合部に対して蓋側係合部を相対移動させて、接続部材と本体側係合部もしくは蓋側係合部との係合を解除できるように構成されているので、このように係合を解除した本体側係合部および蓋側係合部の内部から接続部材を工具などを使用せずに簡単に取り外すことができ、このように取り外した接続部材を連結部が切断されていない係合部組に取り付け、ケース本体部とケース蓋部材とを再度閉止状態で係合保持するために使用できる。
【図面の簡単な説明】
【図１】メイン基板アセンブリにおいて、本発明に係る不正開放防止機構を構成する本体側係合部と蓋側係合部とが対向して重なった状態を示す断面図である。
【図２】本発明に係る不正開放防止機構を適用したスロットマシンの外観斜視図である。
【図３】上記スロットマシンを構成するケース本体の内部を示す正面図である。
【図４】上記ケース本体に取りつけられるメイン基板アセンブリを示す正面図である。
【図５】上記メイン基板アセンブリの側面図である。
【図６】上記メイン基板アセンブリの斜視図である。
【図７】上記メイン基板アセンブリを構成するメイン基板ケースの斜視図である。
【図８】上記メイン基板ケースの正面図である。
【図９】上記メイン基板ケースの側面図である。
【図１０】上記メイン基板ケースの断面図である。
【図１１】上記メイン基板アセンブリを構成するメイン基板カバーの斜視図である。
【図１２】上記メイン基板カバーの正面図である。
【図１３】上記メイン基板カバーの断面図である。
【図１４】本発明に係る不正開閉防止機構を構成する接続部材の平面図である。
【図１５】上記接続部材の断面図である。
【図１６】上記メイン基板アセンブリの不正開放防止機構を示す平面断面図である。
【図１７】上記メイン基板アセンブリの不正開放防止機構を示す正面断面図である。
【図１８】本発明に係る不正開閉防止機構を構成する接続部材の異なる例に係る平面図である。
【図１９】上記異なる例に係る接続部材の断面図である。
【図２０】上記異なる例に係る接続部材を用いたメイン基板アセンブリの不正開放防止機構を示す平面断面図である。
【図２１】上記異なる例に係る接続部材を用いたメイン基板アセンブリの不正開放防止機構を示す正面断面図である。
【図２２】本発明に係る不正開閉防止機構を構成する接続部材のさらに異なる例に係る平面図である。
【図２３】上記さらに異なる例に係る接続部材の側面図である。
【図２４】上記さらに異なる例に係る接続部材を用いたメイン基板アセンブリの不正開放防止機構を組み付ける過程を示す平面図である。
【図２５】上記さらに異なる例に係る接続部材を用いたメイン基板アセンブリの不正開放防止機構を解除する過程を示す平面図である。
【符号の説明】
１  本体ケース
２  カバー
３  表示窓
４  スタートレバー
５  停止ボタン
６  メダル投入口
７  メダル払出口
８  受け皿
１１  回転リール装置
１１ａ〜１１ｃ  第１〜第３リール
１２  遊技メダル払出装置
１３  電源基板
１４  遊技メダル補助収納庫
２０  メイン基板ケース
２１  ケース筐体
２１ａ  内部空間
２２  ヒンジ軸
２３  係止アーム
２５  ケース側嵌合リブ
３０  メイン基板カバー
３１  カバー筐体
３２  ヒンジアーム
３３  係止突起
３５  カバー側嵌合リブ
４０  メイン制御基板
４１  ＲＯＭ
５０  ケース係合部
５１  ケース側円筒部
５１ａ  係合部嵌合リブ
５２  底面
５３  ケース側係合アーム
５３ａ  係止突起
５４  位置決め突起
５９  ケース連結部
６０  カバー係合部
６１  カバー側円筒部
６１ａ  係合部嵌合リブ
６２  底面
６３  カバー側係合アーム
６３ａ  係止突起
６４  位置決め突起
６９  カバー連結部
７０，８０，９０  接続部材
７１，８１，９１  円筒部
７２，８２，９３  係止リブ
７３，８３，９４  アーム挿入開口
７４，８４  位置決めスリット
８２ａ  切り欠き
９１ａ  ローレット
９２  位置決め切り欠き
９３ａ  挿抜用切り欠き
ＳＭ  スロットマシン
ＭＢＡ  メイン基板アセンブリ
【図１】
0004087154.tif 000002
【図２】
0004087154.tif 000003
【図３】
0004087154.tif 000004
【図４】
0004087154.tif 000005
【図５】
0004087154.tif 000006
【図６】
0004087154.tif 000007
【図７】
0004087154.tif 000008
【図８】
0004087154.tif 000009
【図９】
0004087154.tif 000010
【図１０】
0004087154.tif 000011
【図１１】
0004087154.tif 000012
【図１２】
0004087154.tif 000013
【図１３】
0004087154.tif 000014
【図１４】
0004087154.tif 000015
【図１５】
0004087154.tif 000016
【図１６】
0004087154.tif 000017
【図１７】
0004087154.tif 000018
【図１８】
0004087154.tif 000019
【図１９】
0004087154.tif 000020
【図２０】
0004087154.tif 000021
【図２１】
0004087154.tif 000022
【図２２】
0004087154.tif 000023
【図２３】
0004087154.tif 000024
【図２４】
0004087154.tif 000025
【図２５】
0004087154.tif 000026